(57)【要約】      （修正有）【課題】ネットワーク型環境における画像データの暗号化システム及び方法で、画像生成装置によって生成された文書又はデータを暗号化するシステム及び方法を提供する。【解決手段】ネットワーク型環境における画像データの暗号化システムで、関連した画像生成装置から電子文書データを受信する手段、関連したユーザから、受信された電子文書データに関連付けられたパスワードデータを受信する手段、とを備え、さらに、パスワードデータに従って電子文書データを暗号化するための暗号化手段と、暗号化された電子データを、関連したデータネットワークを介して、選択されたネットワーク装置へ通信するための手段と、を備える。【選択図】図１
2006121676.tif 000002
【特許請求の範囲】
【請求項１】
関連した画像生成装置から電子文書データを受信するため適合した手段と、
関連したユーザから、前記受信された電子文書データに関連付けられたパスワードデータを受信するため適合した手段と、
前記パスワードデータに従って前記電子文書データを暗号化するため適合した暗号化手段と、
暗号化された電子データを、関連したデータネットワークを介して、選択されたネットワーク装置へ通信するため適合した手段と、
を備える、ネットワーク型環境における画像データの暗号化システム。
【請求項２】
前記電子文書データを生成する画像生成装置をさらに備える、請求項１に記載のネットワーク型環境における画像データの暗号化システム。
【請求項３】
前記画像生成装置は、ファクシミリ装置、スキャニング装置、コピー装置、光学式文字認識装置、及び、多機能周辺装置のうちの少なくとも１つを含む、請求項２に記載のネットワーク型環境における画像データの暗号化システム。
【請求項４】
前記パスワードデータは前記電子データを暗号化するための暗号鍵を形成する、請求項２に記載のネットワーク型環境における画像データの暗号化システム。
【請求項５】
前記選択されたネットワーク装置はデータ記憶装置を含む、請求項２に記載のネットワーク型環境における画像データの暗号化システム。
【請求項６】
前記データ記憶装置はＦＴＰサーバと電子メールサーバのうちの少なくとも一方を含む、請求項５に記載のネットワーク型環境における画像データの暗号化システム。
【請求項７】
前記暗号化された電子データを前記選択されたネットワーク装置へ通信する前に、前記画像データを選択されたフォーマットへ変換するため適合した手段をさらに備える、請求項２に記載のネットワーク型環境における画像データの暗号化システム。
【請求項８】
関連した画像生成装置から電子文書データを受信するステップと、
関連したユーザから、前記受信された電子文書データに関連付けられたパスワードデータを受信するステップと、
前記パスワードデータに従って前記電子文書データを暗号化するステップと、
暗号化された電子データを、関連したデータネットワークを介して、選択されたネットワーク装置へ通信するステップと、
を含む、ネットワーク型環境における画像データの暗号化方法。
【請求項９】
関連した画像生成装置によって前記電子データを生成するステップをさらに含む、請求項８に記載のネットワーク型環境における画像データの暗号化方法。
【請求項１０】
前記画像生成装置は、ファクシミリ装置、スキャニング装置、コピー装置、光学式文字認識装置、及び、多機能周辺装置のうちの少なくとも１つを含む、請求項９に記載のネットワーク型環境における画像データの暗号化方法。
【請求項１１】
前記パスワードデータは前記電子データを暗号化するための暗号鍵を形成する、請求項９に記載のネットワーク型環境における画像データの暗号化方法。
【請求項１２】
前記選択されたネットワーク装置はデータ記憶装置を含む、請求項９に記載のネットワーク型環境における画像データの暗号化方法。
【請求項１３】
前記データ記憶装置はＦＴＰサーバと電子メールサーバのうちの少なくとも一方を含む、請求項１２に記載のネットワーク型環境における画像データの暗号化方法。
【請求項１４】
前記暗号化された電子データを前記選択されたネットワーク装置へ通信する前に、前記画像データを選択されたフォーマットへ変換するステップをさらに含む、請求項９に記載のネットワーク型環境における画像データの暗号化方法。
【請求項１５】
関連した画像生成装置から電子文書データを受信する命令と、
関連したユーザから、前記受信された電子文書データに関連付けられたパスワードデータを受信する命令と、
前記パスワードデータに従って前記電子文書データを暗号化する命令と、
暗号化された電子データを、関連したデータネットワークを介して、選択されたネットワーク装置へ通信する機能と、
を含む、ネットワーク型環境における画像データの暗号化のための命令を記憶したコンピュータ読み取り可能な媒体。
【請求項１６】
前記電子文書データを生成する画像生成装置をさらに含む、請求項１５に記載のネットワーク型環境における画像データの暗号化のためのコンピュータ読み取り可能な媒体。
【請求項１７】
前記画像生成装置は、ファクシミリ装置、スキャニング装置、コピー装置、光学式文字認識装置、及び、多機能周辺装置のうちの少なくとも１つを含む、請求項１６に記載のネットワーク型環境における画像データの暗号化のためのコンピュータ読み取り可能な媒体。
【請求項１８】
前記パスワードデータは前記電子データを暗号化するための暗号鍵を形成する、請求項１６に記載のネットワーク型環境における画像データの暗号化のためのコンピュータ読み取り可能な媒体。
【請求項１９】
前記選択されたネットワーク装置はデータ記憶装置を含む、請求項１６に記載のネットワーク型環境における画像データの暗号化のためのコンピュータ読み取り可能な媒体。
【請求項２０】
前記データ記憶装置はＦＴＰサーバと電子メールサーバのうちの少なくとも一方を含む、請求項１９に記載のネットワーク型環境における画像データの暗号化のためのコンピュータ読み取り可能な媒体。
【請求項２１】
前記暗号化された電子データを前記選択されたネットワーク装置へ通信する前に、前記画像データを選択されたフォーマットへ変換するため適合した手段をさらに含む、請求項１６に記載のネットワーク型環境における画像データの暗号化のためのコンピュータ読み取り可能な媒体。
【請求項２２】
関連した画像生成装置から電子文書データを受信するステップと、
関連したユーザから、前記受信された電子文書データに関連付けられたパスワードデータを受信するステップと、
前記パスワードデータに従って前記電子文書データを暗号化するステップと、
暗号化された電子データを、関連したデータネットワークを介して、選択されたネットワーク装置へ通信するステップと、
を含む、ネットワーク型環境におけるコンピュータで実施される画像データの暗号化方法。
【請求項２３】
関連した画像生成装置によって前記電子データを生成するステップをさらに含む、請求項２２に記載のネットワーク型環境におけるコンピュータ読み取り可能な画像データの暗号化方法。
【請求項２４】
前記画像生成装置は、ファクシミリ装置、スキャニング装置、コピー装置、光学式文字認識装置、及び、多機能周辺装置のうちの少なくとも１つを含む、請求項２３に記載のネットワーク型環境におけるコンピュータで実施される画像データの暗号化方法。
【請求項２５】
前記パスワードデータは前記電子データを暗号化するための暗号鍵を形成する、請求項２３に記載のネットワーク型環境におけるコンピュータで実施される画像データの暗号化方法。
【請求項２６】
前記選択されたネットワーク装置はデータ記憶装置を含む、請求項２３に記載のネットワーク型環境におけるコンピュータで実施される画像データの暗号化方法。
【請求項２７】
前記データ記憶装置はＦＴＰサーバと電子メールサーバのうちの少なくとも一方を含む、請求項２６に記載のネットワーク型環境におけるコンピュータで実施される画像データの暗号化方法。
【請求項２８】
前記暗号化された電子データを前記選択されたネットワーク装置へ通信する前に、前記画像データを選択されたフォーマットへ変換するステップをさらに含む、請求項２３に記載のネットワーク型環境におけるコンピュータで実施される画像データの暗号化方法。
【発明の詳細な説明】
【技術分野】
【０００１】
本発明はネットワーク型環境における画像データの暗号化システム及び方法を対象にする。より詳細には、本発明は関連する画像生成装置によって生成された文書又はデータを暗号化するシステム及び方法を対象にする。
【背景技術】
【０００２】
オフィス環境では多くの場合に、文書をデジタル化することが必要である。デジタル化は、電子メール添付ファイルなどによる伝送、ファイル保管、複製、又は、電子的な改変を目的とする。往々にして、このような文書は機密情報を含んでいる。以前のシステムでは、結果として生じた電子文書又は画像は公にアクセスできる記憶装置に収納され、他人が閲覧又はコピーの利用がしやすい。
【０００３】
ユーザは一般的に、文書をスキャンし、ＴＩＦＦ又はＰＤＦファイルフォーマットのような選択されたフォーマットで画像データを生成するため、画像生成装置又は多機能周辺機器を使用する。一旦生成されると、画像データを含むＴＩＦＦ又はＰＤＦファイルは、ローカルあるいはネットワークファイルに保存されるか、又は、ＦＴＰサーバ、電子メールサーバ、あるいは、他のネットワーク装置へ転送される。しかし、画像データを含むファイルは暗号化されず、そのようなファイルへの無許可のアクセスを妨げるためのセキュリティ機能をもたない。ファイルにアクセスできるユーザは誰でもファイルの内容を見ることができる。
【発明の開示】
【発明が解決しようとする課題】
【０００４】
本発明は上記の問題を解決し、ネットワーク型環境における画像データの暗号化システム及び方法を提供する。
【課題を解決するための手段】
【０００５】
本発明によれば、ネットワーク型環境における画像データの暗号化システム及び方法が提供される。
【０００６】
さらに、本発明によれば、画像データを暗号化し、画像データへの無許可のアクセスを妨げるシステム及び方法が提供される。
【０００７】
さらに、本発明によれば、生成された画像データのファイルが選択された宛先へ転送される前にパスワード保護されたファイルフォーマットへ変換されるシステム及び方法が提供される。
【０００８】
またさらに、本発明によれば、ネットワーク型環境における画像データの暗号化システムが提供される。このシステムは、関連した画像生成装置から電子文書データを受信するため適合した手段と、関連したユーザから、受信された電子文書データに関連付けられたパスワードデータを受信するため適合した手段と、を備える。このシステムは、パスワードデータに従って電子文書データを暗号化するため適合した暗号化手段と、暗号化された電子データを、関連したデータネットワークを介して、選択されたネットワーク装置へ通信するため適合した手段と、をさらに備える。
【０００９】
好ましくは、このシステムは電子文書データを生成する画像生成装置を備える。この画像生成装置は、ファクシミリ装置、スキャニング装置、コピー装置、光学式文字認識装置、及び、多機能周辺装置を含む。
【００１０】
好ましい一実施形態では、選択されたネットワーク装置はデータ記憶装置を含む。好ましくは、このデータ記憶装置は、ＦＴＰサーバ及び電子メールサーバを含む。
【００１１】
好ましい一実施形態では、上記パスワードデータは電子データの暗号化のための暗号鍵を形成する。好ましい一実施形態では、このシステムは、暗号化された電子データを選択されたネットワーク装置へ通信する前に、画像データを選択されたフォーマットへ変換する手段をさらに含む。
【００１２】
またさらに、本発明によれば、ネットワーク型環境における画像データの暗号化方法が提供される。この方法は、関連した画像生成装置から電子文書データを受信するステップと、関連したユーザから、受信された電子文書データに関連付けられたパスワードデータを受信するステップと、を含む。この方法は、このパスワードデータに従って電子文書データを暗号化するステップと、暗号化された電子データを、関連したデータネットワークを介して、選択されたネットワーク装置へ通信するステップと、をさらに含む。
【００１３】
好ましくは、この方法は、関連した画像生成装置によって画像データを生成するステップをさらに含む。画像生成装置は、ファクシミリ装置、スキャニング装置、コピー装置、光学式文字認識装置、及び、多機能周辺装置を含む。
【００１４】
好ましい一実施形態では、選択されたネットワーク装置はデータ記憶装置を含む。好ましくは、このデータ記憶装置は、ＦＴＰサーバ及び電子メールサーバを含む。
【００１５】
好ましい一実施形態では、上記パスワードデータは電子データの暗号化のための暗号鍵を形成する。好ましい一実施形態では、この方法は、暗号化された電子データを選択されたネットワーク装置へ通信する前に、画像データを選択されたフォーマットへ変換するステップをさらに含む。
【００１６】
本発明の上記ならびにその他の態様、利点及び特徴は明細書を読み、理解することにより、当業者によって理解されるであろう。
【発明を実施するための最良の形態】
【００１７】
本発明は、本明細書の一部を形成し、本発明を限定することを目的としない添付図面との関連において明らかにされる特定の部分、及び、部分の配置を参照して説明されている。
【００１８】
本発明は、文書読み取り装置から複数のエージェントへ画像データを転送するシステム及び方法を対象にする。図１は全体的に１００として示された本発明によるシステムの好ましい一実施形態のブロック図である。このシステムは、画像データを生成するスキャナー又はコピー機のような画像生成装置１０２を備える。この画像生成装置は技術的に知られた適当な文書読み取り装置である。好ましくは、画像生成装置は、スキャニング装置、コピー装置、ファクシミリ装置、又は、多機能周辺装置である。より好ましくは、画像生成装置はスキャニング装置である。適当な市販されている画像生成装置には、東芝ｅ−Ｓｔｕｄｉｏシリーズコントローラが含まれるが、それらに限定されない。上記画像生成装置は、画像生成装置の機能を制御するコントローラ１０４をさらに備える。
【００１９】
上記画像生成装置は、関連したユーザから生成される文書又はその他のデータを受信するため適合した手段を含む。このような手段には、画像生成装置とデータ通信するワークステーション１０６から画像データを受信すること、画像生成装置で文書又はデータをスキャンすることなどが含まれるが、それらに限定されない。画像生成装置は、生成された画像データを、データ通信リンクのような適当な手段を介して、１０８として表された少なくとも１台のネットワーク装置へ転送するため適合した手段をさらに含む。このようなネットワーク装置は、ＦＴＰサーバ、電子メールサーバ、画像生成装置、又は、記憶媒体を含むが、それらに限定されない。生成された画像データは、ローカル記憶のため１１０として表された画像生成装置内のローカル記憶媒体へ転送することも可能である。
【００２０】
このシステムは、生成された画像データの生成及び暗号化に関係する関連したユーザから情報又はデータを受信するため適合した手段を含む。このような手段には、データ通信リンクを介して、又は、画像生成装置に関連付けられるか、あるいは接続されたユーザインタフェースを介して、ワークステーション１０６からデータを受信することが含まれるが、それに限定されない。ユーザは、ユーザ名、パスワード、希望する暗号化のためのファイルフォーマット、画像生成のためのパラメータ、暗号化されたデータの送信先として希望するネットワーク装置などの情報を与える。
【００２１】
システムは、画像データを暗号化するため適合した手段をさらに含む。画像データは技術的に知られた適当な手段によって暗号化される。一例として、このような暗号化手段には、Ｒｉｖｅｒｓｔ−Ｓｈａｍｉｒ−Ａｄｅｌｍａｎ（ＲＳＡ）、Ｄｉｆｆｉｅ−Ｈｅｌｌｍａｎ、Ｄｉｇｉｔａｌ Ｓｉｇｎａｔｕｒｅ Ｓｔａｎｄａｒｄ（ＤＳＳ）、ＥＩＧａｍａｌ、ＬＵＣ、ＤＥＳ、Ｂｌｏｗｆｉｓｈ、Ｉｎｔｅｒｎａｔｉｏｎａｌ Ｄａｔａ Ｅｎｃｒｙｐｔｉｏｎ Ａｌｇｏｒｉｔｈｍ（ＩＤＥＡ）、ＲＣ４、ＳＡＦＥＲ及びＥｎｉｇｍａが含まれる。これらの暗号化手段は、画像生成装置と適切に関連付けられるか、又は、１１２で示されるように別個のコンポーネントである。
【００２２】
図２は本発明による方法を説明するフローチャートである。２０２において、文書又はデータは上記のようにユーザから受信される。２０４において、画像データはユーザによって指定されるパラメータに従って生成される。好ましくは、画像データはＴＩＦＦ又はＰＤＦフォーマットで生成される。このようなフォーマットは好ましくは適当な手段を用いてユーザによって指定される。
【００２３】
図３は、画像生成と、画像データの送信先である選択されたネットワーク装置のためのパラメータを選択するサンプルテンプレート３００を表す。ユーザは、両面スキャン画像であるかどうかを３０２で選択する。ユーザは次に回転を３０４で指定し、文書タイプを３０６で指定し、解像度を３０８で指定し、露出を３１０で指定し、オリジナルのサイズを３１２で指定する。３１４で指定された領域は、画像生成装置から画像データを受信可能である様々なネットワーク装置を表す。ユーザは希望の装置を選択し、画像データをこのような装置へ転送するためのパラメータを与える。ユーザは、設定条件を保存するためＯＫボタン３１６を選択するか、又は、入力された設定条件を取り消すため取り消しボタン３１８を選択することができる。
【００２４】
２０６において、ユーザは適当な手段を用いて画像データの暗号化に関する情報を与えるように要求される。このような情報には、少なくとも、暗号化されたデータにアクセスするため必要なパスワードと、好ましくは、ユーザ名とその他の関連情報とが含まれる。
【００２５】
図４は文書又はデータの暗号化に関係する情報を提供するためのサンプルテンプレート４００を表す。４０２において、ユーザはユーザ名を与える。４０４において、ユーザは希望のパスワードを入力する。４０６において、ユーザは希望する暗号化ファイルのフォーマットを入力する。別の実施形態では、システム管理者などによって暗号化ファイルのためのデフォルトファイルフォーマットが選択され、ユーザはファイルフォーマットを選択あるいは変更することが許されない。ユーザはＯＫボタン４０８を選択することにより選択項目を保存する。ユーザは取り消しボタン４１０を選択することにより選択項目を取り消す。
【００２６】
２０８において、文書又はデータは、ユーザによって選択されたパスワードを使用し、適当な名前によって適当なファイルフォーマットに暗号化される。ファイルフォーマットは、好ましくは、ｚｉｐファイルである。２１０において、画像データが生成されたときに作成されたＴＩＦＦ又はＰＤＦファイルが削除される。２１２において、暗号化されたファイルは、ユーザの指示通り、選択されたネットワーク装置へ転送される。
【００２７】
好ましい実施形態において、本発明はソフトウェアに組み込まれるが、当業者が容易に理解できるように、本発明はハードウェア、又は、ハードウェアとソフトウェアの組み合わせに組み込まれることも可能である。
【００２８】
好ましい実施形態が詳細に記載されているが、種々の変更、置換、及び、代替が請求項によって規定されるような本発明の精神及び範囲を逸脱することなくその中で行われ得ることが理解されるべきである。発明の本質を説明するために本明細書に記載され例示された部分の細部、材料及び配置の種々の変更は、請求項に記載される発明の原理及び精神の範囲内で当業者によって行われることが認められるであろう。
【図面の簡単な説明】
【００２９】
【図１】本発明のシステムを説明するブロック図である。
【図２】本発明の動作を説明するフローチャートである。
【図３】画像生成のパラメータを選択するサンプルテンプレートである。
【図４】画像データの暗号化のための希望の設定のサンプルテンプレートである。
【図１】
2006121676.tif 000003
【図２】
2006121676.tif 000004
【図３】
2006121676.tif 000005
【図４】
2006121676.tif 000006
【外国語明細書】
2006121676000001.pdf